(57)【要約】【課題】本発明は、従来排出していた二酸化炭素を有効に利用し、かつメタノール及び酢酸製造のための装置を簡略化することを課題とする。【解決手段】原料炭化水素とスチームを改質器１０に供給して水素、一酸化炭素、二酸化炭素を主成分とする合成ガスを合成し、改質器１０の改質管を加熱するための燃焼輻射部１２より排出される燃焼排ガスの二酸化炭素を回収し、合成した合成ガスを分岐し、分岐した一方の合成ガスから二酸化炭素を回収して更に一酸化炭素を主成分とするガスと水素を主成分とするガスとに分離し、分岐したもう一方の合成ガスに前記水素を主成分とするガスと燃焼排ガスから回収した二酸化炭素及び／又は合成ガスから回収した二酸化炭素を加えて触媒上でメタノールを合成し、合成されたメタノールの一部又は全部と、一酸化炭素を主成分とするガスとを原料として酢酸を合成することを特徴とする。【選択図】    図１
2004315474.tif 000002
【特許請求の範囲】
【請求項１】
原料炭化水素とスチームを外部加熱方式の改質器に供給して水素、一酸化炭素及び二酸化炭素を主成分とする合成ガスを合成し、
前記改質器の改質管を加熱するための燃焼輻射部より排出される燃焼排ガスの二酸化炭素を回収し、
前記合成した合成ガスを分岐して、分岐した一方の合成ガスから二酸化炭素を回収してさらに一酸化炭素を主成分とするガスと水素を主成分とするガスとに分離し、分岐したもう一方の合成ガスに前記水素を主成分とするガスと前記燃焼排ガスから回収した二酸化炭素及び／又は前記合成ガスから回収した二酸化炭素を加えて触媒上でメタノールを合成し、
合成された該メタノールの一部又は全部と、前記一酸化炭素を主成分とするガスとを原料として酢酸を合成することを特徴とする酢酸の製造方法。
【請求項２】
前記合成した合成ガスを部分酸化炉により部分酸化してから触媒上でメタノール合成することを特徴とする請求項１記載の酢酸の製造方法。
【請求項３】
前記燃焼輻射部から排出される燃焼排ガスから回収した二酸化炭素の一部又は全部を前記改質器に供給される原料ガスに混入して合成ガスの原料とすることを特徴とする請求項１又は２記載の酢酸の製造方法。
【請求項４】
分岐した一方の合成ガスから回収した前記二酸化炭素の一部又は全部を改質器に供給する前の原料炭化水素に混入して合成ガスの原料とすることを特徴とする請求項１乃至３いずれか記載の酢酸の製造方法。
【請求項５】
前記合成ガスの原料として供給される二酸化炭素及び／又はメタノール合成の原料として供給される二酸化炭素は、その一部又は全部について系内のボイラーから排出される燃焼排ガスから回収した二酸化炭素であることを特徴とする請求項１乃至４いずれか記載の酢酸の製造方法。
【請求項６】
前記合成ガスの原料として供給される二酸化炭素及び／又はメタノール合成の原料として供給される二酸化炭素は、その一部又は全部について系外から供給されることを特徴とする請求項１乃至５いずれか記載の酢酸の製造方法。
【請求項７】
前記合成されたメタノールの一部が酢酸の合成に用いられ、一部はメタノールのまま残され、メタノールと酢酸とが併産されることを特徴とする請求項１乃至６いずれか記載の酢酸の製造方法。
【請求項８】
メタノールと酢酸の生産比率を適宜変えて生産することを特徴とする請求項１乃至７いずれか記載の酢酸の製造方法。
【請求項９】
水蒸気改質用反応管と該反応管の周囲に配置された燃焼輻射部を備え、原料炭化水素、スチーム及び二酸化炭素を導入して合成ガスを合成する外部加熱方式の改質器と、前記改質器の燃焼輻射部から排出される燃焼排ガスから二酸化炭素を回収する二酸化炭素回収装置と、前記改質器からの合成ガスを分岐し、分岐した一方の合成ガスから二酸化炭素を回収除去したあと一酸化炭素を主成分とするガスと水素を主成分とするガスとに分離する合成ガス分離手段と、分岐したもう一方の合成ガスに前記合成ガス分離手段で分離した水素を主成分とするガスと、前記二酸化炭素回収装置で燃焼排ガスから回収した二酸化炭素及び／又は前記合成ガス分離手段で得られた二酸化炭素とを加えてメタノールを合成するメタノール合成手段と、前記合成ガス分離手段で分離された一酸化炭素を主成分とするガスと、前記メタノール合成手段で合成されたメタノールを原料として酢酸を合成する酢酸合成手段とを具備することを特徴とする酢酸の製造装置。
【請求項１０】
二酸化炭素を系外から受け入れるための手段をさらに具備することを特徴とする請求項９記載の酢酸の製造装置。
【請求項１１】
メタノールを系外へ送出する系外送出手段と、メタノールを酢酸合成手段へ送出する系内送出手段とをさらに具備することを特徴とする請求項９又は１０記載の酢酸の製造装置。
【発明の詳細な説明】
【０００１】
【発明の属する技術分野】
本発明は、酢酸の製造方法及び酢酸の製造装置に関する。さらに詳しくは、一つの系で、需要の動向によってメタノールと酢酸の生産比率を適宜調整することができ、また、系の内外で排出される二酸化炭素を系内で使用して大気放出を少なくした環境保全に有効な酢酸の製造方法及び製造装置に関する。
【０００２】
【従来の技術】
従来、酢酸の原料であるメタノールと一酸化炭素（ＣＯ）とは別の場所で製造され、それぞれが酢酸工場まで輸送されて用いられている。よって、酢酸の製造費用は前記輸送費用、及びメタノールや一酸化炭素の原料価格の変動に大きく影響される。
【０００３】
つまり、従来、酢酸の製造に際しては、例えば図５に示すようにメタノールプラントでメタノールを製造する一方、ＣＯプラントでＣＯを製造するというように、それぞれ別の系列で酢酸の原料を製造していた（従来法１）。
【０００４】
具体的には、メタノールプラントでは、天然ガスとスチームをスチームリフォーマ１に導入し、水蒸気改質にてＣＯ，ＣＯ２，Ｈ２を含む合成ガスを得、これらを原料としてメタノールを合成していた。なお、天然ガスからのメタノール合成では、天然ガスから一旦ＣＯ，ＣＯ２，水素等からなる合成ガスを経由しているが、水素が過剰になるため、過剰水素をプラント内の燃料及び原料天然ガスの脱硫に利用している。
【０００５】
一方、ＣＯプラントでは、天然ガスとスチームをスチームリフォーマ１に導入し、合成ガスからＣＯ２を除去し、さらにＣＯを例えば吸着などの方法で分離し、ＣＯを得ていた。なお、除去されたＣＯ２はスチームリフォーマ１の原料とし、ＣＯを分離したＨ２他オフガスはスチームリフォーマ１に戻して燃料として利用している。
そして、メタノールプラントで得られたメタノール及びＣＯプラントで得られたＣＯを車あるいはパイプライン等で酢酸プラントに輸送し、酢酸を製造していた。
【０００６】
また、上述した従来法１とは別に、図６に示すようにスチームリフォーマ１の下流側に部分酸化炉３を配置してメタノールを合成する方法も知られている（従来法２）。
【０００７】
なお、酢酸の製造方法の具体例としては、例えば、ロジウム・ヨウ化メチル触媒系にアルカリ金属ヨウ化物塩を添加して、反応液中のヨウ素イオン濃度や水分濃度を所定の値以下にすることにより、カルボニル化反応特有の副反応の抑制等を図った方法（特開平５−１４００２４号公報）、あるいは特開平６‐４０９９８号公報による方法等が知られている。
【０００８】
【特許文献１】
特開平５−１４００２４号公報（第４−５頁）
【０００９】
【特許文献２】
特開平６−４０９９８号公報（第３−４頁）
【００１０】
【発明が解決しようとする課題】
このように、従来法では、メタノールの製造に際しては、天然ガスをリフォーミング後、ＣＯ２を大量に排出しており、環境の点で問題があるとともに、無駄が多かった。また、メタノールプラントではメタノール合成の際、ＣＯプラントではＣＯ分離の際、過剰の水素が発生するが、その有効利用が課題であった。更に、メタノールとＣＯは別な場所で製造しているので、酢酸の製造に際しては合成したメタノールとＣＯを車等により酢酸製造場所に輸送しなければならず、作業性が劣るあるいは輸送コスト等の余分なコストがかかるという問題があつた。更には、ＣＯ製造及びメタノ−ル製造それぞれに独立した合成ガス製造装置が必要である点や、原料を貯蔵するためのタンクが必要であるなど、製造設備がコスト高となる。
【００１１】
本発明はこうした事情を考慮してなされたもので、メタノールの製造の際に大量に排出していた二酸化炭素、あるいはメタノールやＣＯ製造の際に発生する過剰の水素を有効に利用するとともに、酢酸の原料を天然ガスとすることで、コスト低減、環境の保全を図るとともに、合成ガス製造装置１系例で酢酸及び／又はメタノール製造のための設備を構成することからシステムの簡素化、コスト低減を図ることが可能な酢酸の製造方法及び製造装置を提供することを目的とする。
【００１２】
【課題を解決するための手段】
本願第１の発明は、原料炭化水素とスチームを外部加熱方式の改質器に供給して水素、一酸化炭素及び二酸化炭素を主成分とする合成ガスを合成し、前記改質器の改質管を加熱するための燃焼輻射部より排出される燃焼排ガスの二酸化炭素を回収し、前記合成した合成ガスを分岐して、分岐した一方の合成ガスから二酸化炭素を回収してさらに一酸化炭素を主成分とするガスと水素を主成分とするガスとに分離し、分岐したもう一方の合成ガスに前記水素を主成分とするガスと前記燃焼排ガスから回収した二酸化炭素及び／又は前記合成ガスから回収した二酸化炭素を加えて触媒上でメタノールを合成し、合成された該メタノールの一部又は全部と、前記一酸化炭素を主成分とするガスとを原料として酢酸を合成することを特徴とする酢酸の製造方法である。
【００１３】
本願第２の発明は、水蒸気改質用反応管と該反応管の周囲に配置された燃焼輻射部を備え、原料炭化水素、スチーム及び二酸化炭素を導入して合成ガスを合成する外部加熱方式の改質器と、前記改質器の燃焼輻射部から排出される燃焼排ガスから二酸化炭素を回収する二酸化炭素回収装置と、前記改質器からの合成ガスを分岐し、分岐した一方の合成ガスから二酸化炭素を回収除去したあと一酸化炭素を主成分とするガスと水素を主成分とするガスとに分離する合成ガス分離手段と、分岐したもう一方の合成ガスに前記合成ガス分離手段で分離した水素を主成分とするガスと、前記二酸化炭素回収装置で燃焼排ガスから回収した二酸化炭素及び／又は前記合成ガス分離手段で得られた二酸化炭素とを加えてメタノールを合成するメタノール合成手段と、前記合成ガス分離手段で分離された一酸化炭素を主成分とするガスと、前記メタノール合成手段で合成されたメタノールを原料として酢酸を合成する酢酸合成手段とを具備することを特徴とする酢酸の製造装置である。
【００１４】
以下、本発明について更に詳しく説明する。
本発明は、従来スチームリフォーマ及びボイラーで排出されていた燃焼排気ガス中の二酸化炭素、あるいはメタノールプラント及びＣＯプラント夫々で過剰に発生していた水素に注目するとともに、従来２系統で酢酸の原料となるメタノール、ＣＯを夫々製造していたことに注目してなされたものである。
【００１５】
本発明においては、請求項２に記載のように、前記スチームリフォーマの他に部分酸化炉を用い、該部分酸化炉により部分酸化してから触媒上でメタノール合成することが好ましい。部分酸化炉をスチームリフォーマの下流側に配置してスチームリフォーマからのガスの部分酸化を行えば、部分酸化炉に導入する酸素の量を削減することができる。
【００１６】
本発明においては、請求項３に記載のように、前記燃焼輻射部から排出される燃焼排ガスから回収した二酸化炭素の一部又は全部を前記改質器に供給される原料ガスに混入して合成ガスの原料とすることが好ましい。これにより、二酸化炭素の有効利用を図ることができる。
【００１７】
本発明においては、請求項４に記載のように、分岐した一方の合成ガスから回収した前記二酸化炭素の一部又は全部を改質器に供給する前の原料ガスに混入して合成ガスの原料とすることが好ましい。これにより、二酸化炭素の有効利用を図ることができる。
【００１８】
本発明においては、請求項５に記載のように、前記合成ガスの原料として供給される二酸化炭素及び／又はメタノール合成の原料として供給される二酸化炭素は、その一部又は全部について前記合成ガスの合成に使用するスチームを製造するためのボイラー、あるいは前記二酸化炭素を圧縮するための圧縮機用スチームタービンに用いるスチームを製造刷るためのボイラー、即ち系内にあるボイラーから排出される燃焼排ガスから回収した二酸化炭素であることが好ましい。そうすることにより、系内の該ボイラーから排出される燃焼排ガス中の二酸化炭素を価値あるものとして系内で有効に使用することができ、しかも該二酸化炭素の大気中への放出量が大幅に低減されるため、地球温暖化防止上の観点から地球環境保全にも大きく寄与できる。
【００１９】
本発明においては、請求項６に記載のように、前記合成ガスの原料として供給される二酸化炭素及び／又はメタノール合成の原料として供給される二酸化炭素は、その一部又は全部について系外から供給することができる。これにより、他のプラント等で排出される余剰のＣＯ２を有効に利用することができる。
【００２０】
本発明においては、請求項７に記載のように、前記合成されたメタノールの一部が酢酸の合成に用いられ、一部はメタノールのまま残され、メタノールと酢酸とが併産されることができる。これにより、メタノールと酢酸の併産が可能となる。また、酢酸の合成に使用するメタノールの量を変えることにより、請求項８に記載のように、メタノールと酢酸の生産比率を適宜変えて生産することが可能となる。従って、酢酸のみを生産したり、あるいは酢酸とメタノールの両方を生産する、というように需要に応じてメタノール、酢酸の生産量を調整することができる。
【００２１】
即ち、本発明は、（１）スチームリフォーマ及びボイラーの燃焼排気ガス中から二酸化炭素の一部を回収し、その一部の二酸化炭素をスチームリフォーマの原料として用いるとともに、スチームリフォーマからの合成ガスの一部を分岐し、この分岐した合成ガス中から除去した二酸化炭素をスチームリフォーマの原料として用いるか、あるいは（２）外部から入手した二酸化炭素をスチームリフォーマの原料として用いるとともに、合成ガスの一部を分岐し、この分岐した合成ガスから除去した二酸化炭素をスチームリフォーマの原料として用いることにより、二酸化炭素の有効利用を図り、かつ酢酸がメタノールをベースとして合成されることを利用して１系統で少なくともメタノール、酢酸のいずれか１つの生産を行うものである。また、本発明は、メタノールプラントやＣＯプラントで過剰に発生する水素を有効利用することとした。
【００２２】
本発明によれば、以下のような利点を有する。
（１）スチームフォーマにおける改質反応の熱量供給に寄与した燃焼排ガスは、従来は種々の熱交換の後、単独に排出されている。本発明では、この排ガス中の二酸化炭素の一部、或は全量回収して合成ガス製造のための原料として再利用する。スチームリフォーマで合成された合成ガス中の一部を分岐し、分岐したガスから除去した二酸化炭素を少なくともスチームリフォーマの原料として用いることにより、二酸化炭素の有効利用を図るとともに、環境への悪影響を阻止できる。
【００２３】
（２）近隣プラントで不要なＣＯ２を利用する場合には、これを利用してＣＯを製造できるためＣＯコスト、ひいては酢酸及びメタノ−ルのコストを低減させることができる。
（３）１つのプラントでメタノール及び酢酸を併産する方式であるため、従来、メタノールプラント及びＣＯプラントで生成された過剰な水素をメタノール合成に使用でき、過剰な水素を有効に利用できる。
【００２４】
（４）Ｈ２他オフガス中のＨ２をメタノール合成の原料として使用することができるので、オフガス中のＨ２を有効に利用することができる。
（５）１つのプラントでメタノール及び酢酸を併産する方式であるため、酢酸の製造に際してその原料となるメタノールを車等で輸送する必要がないとともに、メタノールを保管するためのタンク等が不要となる。従って、最少の配管でメタノール及び酢酸製造のための装置を作ることができ、装置を簡略化することができる。従って、設備費用も従来に比べて低く抑えることができる。
【００２５】
（６）酢酸合成の際に使用するメタノールの量を調整することにより、メタノール、酢酸の生産量を需要に応じて適宜設定することができる。
（７）酢酸の原料が天然ガスとなるため、原料価格が低くなり、酢酸コストを抑制できる。
（８）酸素吹き部分酸化炉を用いれば、部分酸化炉に導入する酸素量を削減することができる。
【００２６】
【発明の実施の形態】
以下、本発明の実施例に係る酢酸の製造方法について図面を参照して説明する。
（実施例１）
本発明に関わる実施例１を、図１を用いて説明する。
図１は、原料ガス（本実施例では天然ガスを使用）とスチーム及び二酸化炭素とを吸熱反応により合成ガスを合成し、該合成ガスを原料としてメタノールと酢酸とを一つのシステムの中で併産することが出来るプラントの概略のフロー図である。
【００２７】
外部加熱方式のスチームリフォーマ（改質器）１０は、例えば内部にニッケル系触媒が充填された水蒸気改質用反応管１１と、この反応管１１の周囲に配置された燃焼輻射部１２と、対流部１３とを備えている。この対留部１３には、後述する煙突１５が接続されている。
【００２８】
天然ガスＡは、原料ガス導入用流路２０を流れ、途中でスチームＢが加わり、対流部１３で予熱されて水蒸気改質用反応管１１へ供給され、ここで吸熱反応によりＣＯ，ＣＯ２，Ｈ２等を含有する合成ガスＧが合成される。
【００２９】
燃焼用燃料は、燃料導入用流路２１を通してスチームリフォーマ１０の燃焼輻射部１２に供給され、ここで空気とともに燃焼されて反応管１１を所定の温度に加熱し、合成ガスの合成に必要な熱を供給する。燃焼により発生した燃焼排ガスは途中でその熱の利用がなされ二酸化炭素（ＣＯ２）回収装置１４によりＣＯ２を回収され、前記対流部１３に接続された煙突１５より系外へ排出される。
【００３０】
途中、燃焼排ガスより回収されたＣＯ２は流路２２を流れて圧縮機１６に送られて圧縮され、その一部は流路２３を流れ天然ガスＡの原料ガス導入用流路２０に合流させて合成ガスの原料として用いられる。
【００３１】
一方、反応管１１で合成された合成ガスＧは途中分岐され、分岐された一方の合成ガスＧ１はその中のＣＯ２を回収され、さらに一酸化炭素（ＣＯ）を主成分とするガスと、Ｈ２を主成分とするガスとに分離され、ＣＯを主成分とするガスは酢酸合成の原料として用いられる。また、前記Ｈ２を主成分とするガスは合成ガスＧより分岐のもう一方のガスＧ２と合流し、さらに圧縮機１６の吐出側から分岐されたＣＯ２（図中の符番Ｐ）を加えられてメタノール合成の原料として用いられる。
【００３２】
前記合成ガスＧ１より回収されたＣＯ２は燃焼排ガスより回収されたＣＯ２とともに圧縮機１６により圧縮されて天然ガスＡの減量ガス導入用流路２０に合流し、合成ガスの原料として用いられる。
【００３３】
前記メタノールの化学反応式（１）と酢酸合成の化学反応式（２）を、次に示す。
ＣＯ２＋Ｈ２→ＣＨ３ＯＨ            …（１）
ＣＨ３ＯＨ＋ＣＯ→ＣＨ３ＣＯＯＨ    …（２）
上記実施例１に係る酢酸の製造装置は、図１に示すように、水蒸気改質用反応管１１と該反応管１１の周囲に配置された燃焼輻射部１２と対流部１３とを備え、原料ガス、スチーム及び二酸化炭素を導入して合成ガスを合成する外部加熱方式のスチームリフォーマ１０と、該スチームリフォーマ１０の対流部１３に接続され，該対流部１３から排出される燃焼排ガスから二酸化炭素を回収する二酸化炭素回収装置１４と、前記スチームリフォーマ１０からの合成ガスを分岐し、分岐した一方の合成ガスから二酸化炭素を回収除去したあと一酸化炭素を主成分とするガスと水素を主成分とするガスとに分離する合成ガス分離手段と、分岐したもう一方の合成ガスに前記合成ガス分離手段で分離した水素を主成分とするガスと、前記二酸化炭素回収装置で燃焼排ガスから回収した二酸化炭素及び／又は前記合成ガス分離手段で得られた二酸化炭素とを加えてメタノールを合成するメタノール合成手段と、前記合成ガス分離手段で分離された一酸化炭素を主成分とするガスと、前記メタノール合成手段で合成されたメタノールを原料として酢酸を合成する酢酸合成手段とを備えている。
【００３４】
上記実施例によれば、下記に述べる効果を有する。
（１）スチームリフォーマ１０及びボイラーの燃焼排気ガスからＣＯ２の一部あるいは全量を回収し、そのＣＯ２と、スチームリフォーマ１０で合成された合成ガス中の一部を分岐し、分岐したガスＧ１から除去したＣＯ２とを圧縮した後、スチームリフォーマ１０の原料として用いる。従って、ＣＯ２の有効利用を図るとともに、環境への悪影響を阻止できる。また、燃料排気ガスからの安価なＣＯ２を用いるので、ＣＯコストを低減できる。
【００３５】
（２）１つのプラントでメタノール及び酢酸を併産する方式であるため、従来、メタノールプラント及びＣＯプラントで生成された過剰な水素をメタノール合成に使用でき、過剰な水素を有効に利用できる。
（３）Ｈ２他オフガス中のＨ２をメタノール合成の原料として使用することができるので、オフガス中のＨ２を有効に利用することができる。
【００３６】
（４）１つのプラントでメタノール及び酢酸を併産する方式であるため、合成ガス製造装置を一系列とすることができるためプラントコストを大幅に削減できる。また、酢酸の製造に際してその原料となるメタノールを車等で輸送する必要がないとともに、メタノールを保管するためのタンク等が不要となる。従って、最少の配管でメタノール及び酢酸製造のための装置を作ることができ、装置を簡略化することができる。従って、設備費用も従来に比べて低く抑えることができる。
【００３７】
（５）酢酸合成の際に使用するメタノールの量を調整することにより、メタノール、酢酸の生産量を需要に応じて適宜設定することができる。
（６）酢酸の原料が天然ガスとなるため、原料価格が低くなり、酢酸コストを抑制できる。
【００３８】
事実、実施例１によれば、メタノール生産量及び酢酸生産量を、下記表１に示すように、従来のメタノールプラントを用いた場合、酢酸プラントを用いた場合と比較して炭素数（Ｃ数）換算で数％増やすことができることが確認できた。
【００３９】
【表１】
2004315474.tif 000003
【００４０】
（実施例２）
図２を参照する。本実施例２はスチームリフォーマと部分酸化方式によりメタノールと酢酸を併産する例を示す。なお、図１と同部材は同符番を付して説明を省略する。
【００４１】
まず、スチームを用いてメタン等の天然ガスをスチームリフォーマ１０で吸熱反応を起こさせ、ＣＯ，ＣＯ２，Ｈ２等を含有する合成ガスＧを生成した。更に、合成ガスＧを酸素吹き部分酸化炉１７で部分酸化した後、合成ガスの一部Ｇ１は分岐し、この分岐した合成ガスＧ１中からＣＯ２を除去し、ＣＯを分離した。一方、スチームリフォーマ１０及びボイラー（図示せず）の燃焼排気ガス中からＣＯ２の一部を回収し、その一部のＣＯ２を前述した除去したＣＯ２とともに圧縮した後、スチームリフォーマ１０の原料として用いた。
【００４２】
また、ＣＯを分離した後のガス（Ｈ２）は圧縮し、これを前記合成ガスの残りＧ２及び回収したＣＯ２の一部（図２中の符番Ｐ）と混合してメタノールを生成した。更に、分離されたＣＯは生成されたメタノールの一部と反応させて酢酸を合成し、最終的にメタノールと酢酸を併産した。
【００４３】
上記実施例２によれば、上記実施例１による効果（１）〜（６）の他、次の効果を有する。即ち、部分酸化炉１７により部分酸化を行うので、部分酸化必要酸素量を従来法２に比べて減少できる。つまり、回収ＣＯ２の量に対応した量だけ部分酸化炉１７に導入する酸素量を削減することができる。
【００４４】
また、実施例２によれば、メタノール生産量及び酢酸生産量を、上記表１に示すように、従来のメタノールプラントを用いた場合、酢酸プラントを用いた場合と比較して炭素数（Ｃ数）換算で数％増やすことができることが確認できた。
【００４５】
（実施例３）
図３を参照する。本実施例３はスチームリフォーマ方式でメタノールと酢酸を併産する例を示す。
まず、スチームを用いてメタン等の天然ガスをスチームリフォーマ１０で吸熱反応を起こさせ、ＣＯ，ＣＯ２，Ｈ２等を含有する合成ガスＧを生成した。ここで、合成ガスの一部Ｇ１は分岐し、この分岐した合成ガスＧ１中から二酸化炭素（ＣＯ２）を除去し、一酸化炭素（ＣＯ）を分離した。ここで、前述した除去したＣＯ２は、圧縮した後、他のプラント等外部から入手したＣＯ２とともにスチームリフォーマ１０の原料として用いた。
【００４６】
また、ＣＯを分離した後のガス（Ｈ２）は圧縮し、これを前記合成ガスの残りＧ２及び分離後圧縮したＣＯ２の一部（図３中の符番Ｐ）と混合してメタノールを生成した。また、分離されたＣＯは生成されたメタノールの一部と反応させて酢酸を合成し、最終的にメタノールと酢酸を併産した。
【００４７】
上記実施例３によれば、実施例１に記載された（２）〜（６）の効果を有する。また、スチームリフォーマ１０からの合成ガス中の一部を分岐し、分岐したガスＧ１から除去したＣＯ２とを圧縮した後、スチームリフォーマ１０の原料として用いる。従って、ＣＯ２の有効利用を図るとともに、環境への悪影響を阻止できる。また、近隣化学プラントで発生する不要な，即ち安価なＣＯ２を用いるので、ＣＯコストを低減できる。
【００４８】
（実施例４）
図４を参照する。本実施例４は、スチームリフォーマと部分酸化方式でメタノールと酢酸を併産する例を示す。
【００４９】
まず、スチームを用いてメタン等の天然ガスをスチームリフォーマ１０で吸熱反応を起こさせ、ＣＯ，ＣＯ２，Ｈ２等を含有する合成ガスＧを生成した。更に、合成ガスＧを部分酸化炉１７で部分酸化した後、合成ガスの一部Ｇ１は分岐し、この分岐した合成ガスＧ１中からＣＯ２を除去し、ＣＯを分離した。ここで、前述した除去したＣＯ２は、圧縮した後、他のプラント等外部から入手したＣＯ２とともにスチームリフォーマ１０の原料として用いる。
【００５０】
また、ＣＯを分離した後のガス（Ｈ２）は圧縮し、これを前記合成ガスの残りＧ２及び分離後圧縮したＣＯ２の一部（図４中の符番Ｐ）と混合してメタノールを生成する。また、分離されたＣＯは生成されたメタノールの一部と反応させて酢酸を合成し、最終的にメタノールと酢酸を併産した。
【００５１】
実施例４によれば、実施例１に記載された効果（２）〜（６）の他、他のプラント等で排出される余剰のＣＯ２を有効に利用することができるという効果を有する。叉、部分酸化炉１７により部分酸化を行う受入れＣＯ２量に対応した量だけ、部分酸化必要酸素量を従来法２に比べ減少できる。従って、部分酸化炉１７に導入する酸素量を削減することができる。
【００５２】
なお、上記実施例１〜４では、メタノールと酢酸を併産する場合について述べたが、これに限らず、需要に応じてメタノールのみ、あるいは酢酸のみ生産する場合にも適用できる。
【００５３】
また、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００５４】
【発明の効果】
以上上述したように本発明によれば、合成ガスの合成やメタノールの製造の際に大量に排出していた二酸化炭素を価値あるものとして系内で有効に使用することができる。しかも、該二酸化炭素の大気中への放出量が大幅に低減されることで、地球温暖化防止上の観点から地球環境保全にも大きく寄与できる。また、メタノールやＣＯ製造の際に発生する過剰の水素を有効に利用でき、コスト低減や環境の保全を図ることができる。
【００５５】
さらに、本発明によれば、１系列の製造装置で酢酸とメタノールの、両方の製造設備を構成するようにしたので、システムの簡素化、コスト低減を図ることができる。そして、天然ガス等の減量ガスを供給して連続的に酢酸とメタノールを併産することができ、また、酢酸とメタノールの生産量の比率を容易に買えて生産できるので、需要の変動に容易に適応して稼働率が高く、採算性の向上が可能な酢酸の製造方法及び製造装置を提供できる。
【図面の簡単な説明】
【図１】本発明の実施例１に係るスチームリフォーマ方式のメタノール及び酢酸の製造方法の説明図。
【図２】本発明の実施例２に係るスチームリフォーマ＋部分酸化方式のメタノール及び酢酸の製造方法の説明図。
【図３】本発明の実施例３に係るスチームリフォーマ方式のメタノール及び酢酸の製造方法の説明図。
【図４】本発明の実施例４に係るスチームリフォーマ＋部分酸化方式のメタノール及び酢酸の製造方法の説明図。
【図５】従来法１による酢酸の製造方法の説明図。
【図６】従来法２による酢酸の製造方法の説明図。
【符号の説明】
１０…スチームリフォーマ、  １１…水蒸気改質用反応管、
１２…燃焼輻射部、          １３…対流部（排熱回収部）、
１４…二酸化炭素回収装置、  １５…煙突、              １６…圧縮機、
１７…酸素吹き部分酸化炉、  ２０…原料ガス導入用流路、
２１…燃料導入用流路、      ２２，２３…流路。
【図１】
2004315474.tif 000004
【図２】
2004315474.tif 000005
【図３】
2004315474.tif 000006
【図４】
2004315474.tif 000007
【図５】
2004315474.tif 000008
【図６】
2004315474.tif 000009